(57)【要約】  【課題】  ケーシング１０の下シェル１２のアクセス用開口１４を回動自在に覆うように取付けられるシャッタ１７を開いて上記開口１４を通してケーシング１０内の光ディスク３１にアクセスするようにしたディスクカートリッジにおいて、シャッタ１７を衝撃的に閉めても、ねじりコイルばね２０の第１のアーム５７のところがシャッタ１７の下のもぐり込んでシャッタ１７の開放力が重くなったり、動かなくなったりすることを防止する。  【解決手段】  シャッタ１７を閉じる方向に付勢するねじりコイルばね２０のコイル部５６の上端から側方に延出された第１のアーム５７の屈曲部５８をシャッタ１７の支持片４２の切込み４５の側部に当接させるようにし、しかもねじりコイルばね２０の屈曲部５８が下シェル１２のロック溝６５に入込むことによってシャッタ１７が閉じた状態でロックされるようにする。【選択図】  図１６
2005302108.tif 000002
【特許請求の範囲】
【請求項１】
ケーシングの開口を開閉自在に覆うように取付けられるシャッタを開いて前記開口を通して前記ケーシング内のディスクにアクセスするようにしたディスクカートリッジにおいて、
前記シャッタを閉じる方向に付勢するねじりコイルばねを有し、該ねじりコイルばねのコイル部の一端から側方に延出された第１のアームの先端部を前記シャッタに係止するとともに、
前記ねじりコイルばねのコイル部の他端から前記一端側に屈曲させて前記第１のアームとほぼ同じ高さで側方に延出された第２のアームの先端部をケーシングに当接させることを特徴とするディスクカートリッジ。
【請求項２】
前記ねじりコイルばねの第１のアームの先端側の屈曲部がシャッタの突片の側部に当接し、該シャッタに係止されることを特徴とする請求項１に記載のディスクカートリッジ。
【請求項３】
前記突片に支持片が連設され、該支持片によって前記ねじりコイルばねの屈曲部の根元側の部分が支持されることを特徴とする請求項２に記載のディスクカートリッジ。
【請求項４】
前記支持片の根元側が切込まれ、該切込まれた部位に前記屈曲部が入込むことを特徴とする請求項３に記載のディスクカートリッジ。
【請求項５】
前記ねじりコイルばねの第２のアームの先端側の屈曲部をケーシングを構成するシェルの壁部に当接させ、前記コイル部の弾性復元力によって前記シャッタを閉じる方向に付勢することを特徴とする請求項１に記載のディスクカートリッジ。
【請求項６】
前記ケーシングの開口を開閉自在に覆うように取付けられるシャッタを開いて前記開口を通して前記ケーシング内のディスクにアクセスするようにしたディスクカートリッジにおいて、
前記シャッタを閉じる方向に付勢するばねを有し、前記シャッタが閉じた状態で前記ばねの先端部が前記シェルのロック部に係合され、これによって前記シャッタが前記開口を閉じた状態で前記ばねを介してロックされることを特徴とするディスクカートリッジ。
【請求項７】
前記ロック部がケーシングを構成するシェルの摺動溝の終端に前記摺動溝とほぼ直交する方向に切込むように形成されたロック溝であることを特徴とする請求項６に記載のディスクカートリッジ。
【請求項８】
前記ばねがねじりコイルばねから成り、該ねじりコイルばねのアームの先端側の屈曲部が前記ロック溝に係合されて前記シャッタがロックされることを特徴とする請求項７に記載のディスクカートリッジ。
【請求項９】
前記シャッタが解除部材を具備し、該解除部材は前記シャッタに対して相対的に移動可能であってかつ先端部に傾斜面を備え、前記解除部材を前記シャッタに対して相対的に解除方向に移動させると、前記傾斜面が前記ばねの先端部を押して前記シェルのロック部から離脱させることによりロックを解除することを特徴とする請求項５〜請求項７の何れかに記載のディスクカートリッジ。
【請求項１０】
前記シャッタの前記シェルの側端の外側に位置する側壁に爪が形成され、該爪が前記解除部材の貫通孔に挿通され、しかも前記貫通孔の幅が前記爪の幅よりも広くなっており、前記貫通孔の幅と前記爪の幅の差に相当するストローク分前記解除部材が前記シャッタに対して摺動することを特徴とする請求項９に記載のディスクカートリッジ。
【発明の詳細な説明】
【技術分野】
【０００１】
本発明はディスクカートリッジに係り、とくにケーシングの開口を開閉自在に覆うように取付けられるシャッタを開いて上記開口を通してケーシング内のディスクにアクセスするようにしたディスクカートリッジに関する。
【背景技術】
【０００２】
光ディスク等のディスク状記録媒体を用いて信号の書込みあるいは読出しを行なうようにした光ディスクプレーヤが広く普及している。そして上記光ディスクを保護するために、上記ディスクをケーシング内に収納してカートリッジ式にしたものが提案されている。この場合には、ケーシングの開口を開閉自在に覆うように取付けられるシャッタを開いて、上記開口を通してケーシング内のディスクに光ピックアップがアクセスすることによって信号の書込みあるいは読出しが行なわれる。そしてアクセスのための開口を開放したままの状態にしておくと、この開口を通してディスクが汚損されたり破損したりするために、カートリッジ式にしたことの意味がなくなる。そこで上記開口を開閉式のシャッタによって覆うようにしている。
【０００３】
このようなディスクカートリッジにおいては、例えば特公平７−８９４３１号公報に開示されているように、ほぼ四角なケース内にディスクを包含し、このケースのコーナの部分にねじりコイルばねの復元力でシャッタ部材を移動させてヘッド挿入窓を閉状態にし、ロック手段によってシャッタ部材を該状態に係合保持している。また特開２０００−９０６３４号公報には、ねじりコイルばねによってテープカートリッジの蓋の部分を閉じるように付勢した磁気テープカートリッジが開示されている。
【０００４】
上記特公平７−８９４３１号公報に開示されているディスクカートリッジにおいては、ロック爪を外部のアームで移動させてシャッタの係合部との係合を解除してロック解除を行ない、これによってシャッタを自由に動き得るようにしていた。このような構造は、外部のアームがケーシング内に侵入してロック部材を解除するために十分なスペースがある場合に可能になる。ところが外部からアームが侵入するのに必要なスペースをケーシング内に確保できない場合には、特公平７−８９４３１号公報に開示されているようなロック機構を採用することができない。
【０００５】
またケーシングの開口を開閉自在に覆うシャッタをねじりコイルばねで閉じる方向に付勢する場合において、ねじりコイルばねのコイル部の端部から反対側の端部に向って屈曲させるようにして折曲げた先端部にアームを形成し、このアームをシャッタに係止させる構造を採用すると、シャッタを衝撃的に閉める際に、上記ねじりコイルばねのシャッタを押しているところがシャッタの下側にもぐり込み、次に開くときにシャッタとシェルとの間にねじりコイルばねのアーム部が食込み、これによってシャッタを開く開放力が過大になり、あるいはまた上記ねじりコイルばねのアーム部が食込んでシャッタが移動できなくなるトラブルを発生する。
【特許文献１】特公平７−８９４３１号公報
【特許文献２】特開２０００−９０６３４号公報
【発明の開示】
【発明が解決しようとする課題】
【０００６】
本願発明の課題は、ケーシングの開口を開閉自在に覆うためのシャッタを閉じる方向に付勢するばねの変形による動作不良を防止するようにしたディスクカートリッジを提供することである。
【０００７】
本願発明の別の課題は、シャッタを衝撃的に閉めてもこのシャッタを閉じる方向に付勢するねじりコイルばねのアームがシャッタとケーシングとの間に食込んでシャッタが動作不良の状態になることを防止するようにしたディスクカートリッジを提供することである。
【０００８】
本願発明のさらに別の課題は、ケーシングに形成された開口を開閉自在に覆うシャッタを確実にかつ安定に付勢できるようにしたディスクカートリッジを提供することである。
【０００９】
本願発明のさらに別の課題は、少ない部品点数であってしかも簡潔な機構によってシャッタを閉じた状態でロックするようにしたディスクカートリッジを提供することである。
【００１０】
本願発明のさらに別の課題は、外部からロック解除のためのアームを侵入させるためのスペースをケーシングに設ける必要がないロック機構を有するディスクカートリッジを提供することである。
【００１１】
本願発明の上記の課題および別の課題は、以下に述べる本願発明の技術的思想およびその実施の形態によって明らかにされよう。
【課題を解決するための手段】
【００１２】
本願の主要な発明は、ケーシングの開口を開閉自在に覆うように取付けられるシャッタを開いて前記開口を通して前記ケーシング内のディスクにアクセスするようにしたディスクカートリッジにおいて、
前記シャッタを閉じる方向に付勢するねじりコイルばねを有し、該ねじりコイルばねのコイル部の一端から側方に延出された第１のアームの先端部を前記シャッタに係止するとともに、
前記ねじりコイルばねのコイル部の他端から前記一端側に屈曲させて前記第１のアームとほぼ同じ高さで側方に延出された第２のアームの先端部をケーシングに当接させることを特徴とするディスクカートリッジに関するものである。
【００１３】
ここで前記ねじりコイルばねの第１のアームの先端側の屈曲部がシャッタの突片の側部に当接し、該シャッタに係止されてよい。また前記突片に支持片が連設され、該支持片によって前記ねじりコイルばねの屈曲部の根元側の部分が支持されてよい。また前記支持片の根元側が切込まれ、該切込まれた部位に前記屈曲部が入込むようにしてよい。また前記ねじりコイルばねの第２のアームの先端側の屈曲部をケーシングを構成するシェルの壁部に当接させ、前記コイル部の弾性復元力によって前記シャッタを閉じる方向に付勢してよい。
【００１４】
本願の別の主要な発明は、前記ケーシングの開口を開閉自在に覆うように取付けられるシャッタを開いて前記開口を通して前記ケーシング内のディスクにアクセスするようにしたディスクカートリッジにおいて、
前記シャッタを閉じる方向に付勢するばねを有し、前記シャッタが閉じた状態で前記ばねの先端部が前記シェルのロック部に係合され、これによって前記シャッタが前記開口を閉じた状態で前記ばねを介してロックされることを特徴とするディスクカートリッジに関するものである。
【００１５】
ここで前記ロック部がケーシングを構成するシェルの摺動溝の終端に前記摺動溝とほぼ直交する方向に切込むように形成されたロック溝であってよい。また前記ばねがねじりコイルばねから成り、該ねじりコイルばねのアームの先端側の屈曲部が前記ロック溝に係合されて前記シャッタがロックされてよい。また前記シャッタが解除部材を具備し、該解除部材は前記シャッタに対して相対的に移動可能であってかつ先端部に傾斜面を備え、前記解除部材を前記シャッタに対して相対的に解除方向に移動させると、前記傾斜面が前記ばねの先端部を押して前記シェルのロック部から離脱させることによりロックを解除してよい。また前記シャッタの前記シェルの側端の外側に位置する側壁に爪が形成され、該爪が前記解除部材の貫通孔に挿通され、しかも前記貫通孔の幅が前記爪の幅よりも広くなっており、前記貫通孔の幅と前記爪の幅の差に相当するストローク分前記解除部材が前記シャッタに対して摺動してよい。
【００１６】
本願発明の好ましい態様は、ディスクカートリッジのアクセス用開口を閉じるシャッタの戻しばねの改善に関するものであって、ねじりコイルばねの両側に延出されているアームの内のねじりコイルばねのコイル部の端部からストレートに延出されるアームの先端部をシャッタに係止させるようにしたものである。ここでねじりコイルばねの他方の端部はコイル部の他端から一端側に折曲げてアーム部を形成し、このアーム部の先端をシェルに引掛けるようにする。また上記一方のアームの先端側の部分を係止するシャッタには、該先端部が外れないように落ち止めの支持片を設けるようにする。
【００１７】
このような態様によれば、シャッタを閉じる方向に付勢するねじりコイルばねの先端がシャッタの下にもぐり込むように入込むことがなく、シャッタの開放時にシャッタの開放力が非常に大きくなったり、あるいはねじりコイルばねがシャッタとケーシングを構成するシェルとの間に挟まれてシャッタが動かなくなるような事故を防止できるようになる。
【発明の効果】
【００１８】
本願の主要な発明は、ケーシングの開口を開閉自在に覆うように取付けられるシャッタを開いて開口を通してケーシング内のディスクにアクセスするようにしたディスクカートリッジにおいて、シャッタを閉じる方向に付勢するねじりコイルばねを有し、該ねじりコイルばねのコイル部の一端から側方に延出された第１のアームの先端部をシャッタに係止するとともに、ねじりコイルばねのコイル部の他端から一端側に屈曲させて第１のアームとほぼ同じ高さで側方に延出された第２のアームの先端部をケーシングに当接させるようにしたものである。
【００１９】
従ってこのようなディスクカートリッジによれば、ケーシングの開口を開閉自在に覆うシャッタは、ねじりコイルばねの一端から側方に延出された第１のアームの先端部によって閉じる方向に付勢されることになり、コイル部の高さ方向の力が発生しないために、シャッタを衝撃的に閉めてもねじりコイルばねの第１のアームの先端部がシャッタの下にもぐり込んだり、シャッタとケーシングとの間に食込んでしまうことがなくなり、これによってシャッタが重くなったりあるいはまた移動できなくなったりする事故が防止される。
【００２０】
本願の別の主要な発明は、ケーシングの開口を開閉自在に覆うように取付けられるシャッタを開いて開口を通してケーシング内のディスクにアクセスするようにしたディスクカートリッジにおいて、シャッタを閉じる方向に付勢するばねを有し、シャッタが閉じた状態でばねの先端部がシェルのロック部に係合され、これによってシャッタが開口を閉じた状態でばねを介してロックされるようにしたものである。
【００２１】
従ってこのようなディスクカートリッジによれば、シャッタを閉じる方向に付勢するばねがロック部材を兼用することになり、シェルにロック部を形成することによってシャッタを閉じた状態でロックするロック機構が成立する。従ってシャッタのロック機構の部品点数が少なくなるとともに、ロック部の機構を簡潔に構成することが可能になる。
【発明を実施するための最良の形態】
【００２２】
以下本願発明を図示の実施の形態によって説明する。図１は本実施の形態のディスクカートリッジの全体の構成を示すものであって、このディスクカートリッジはケーシング１０を備えている。ケーシング１０はともに、例えばポリカーボネート樹脂等の合成樹脂から成形された上下のシェル１１、１２を備え、これらのシェルを互いに接合してその内部にディスクの収納空間を形成したものである。ここで下シェル１２の中心部にはターンテーブルを挿入するための円形の中心孔１３が形成されるとともに、この中心孔１３から半径方向であってケーシング１０の一側部に延びるように矩形のアクセス用開口１４が形成される。
【００２３】
上記中心孔１３およびアクセス用開口１４を開閉自在に覆うように、下シェル１２の下面にはシャッタ１７が摺動自在に取付けられる。シャッタ１７はその側端側においてほぼ棒状の解除部材１８を備える。また上記シャッタ１７はねじりコイルばね２０によって閉じる方向に摺動付勢される。
【００２４】
ケーシング１０の上シェル１１の上面には図１および図２に示すように、ほぼ矩形のラベル貼付け用凹部２３が形成される。また上シェル１１の周縁部の近傍には結合用ビス穴２４が形成される。そしてこのような結合用ビス穴２４を挿通するビスが螺着される結合用ボス２５が下シェル１２の内表面であって結合用ビス穴２４と対応する位置にそれぞれ形成される。
【００２５】
上記下シェル１２の下面には図３に示すように、シャッタ１７が摺動するシャッタ摺動用の凹部２７が形成される。またこの凹部２７の側部には細長い案内溝２８が形成される。この案内溝２８は後述するシャッタ１７の突片を受入れるようになっている。また下シェル１２の内表面には図１に示すように円形の凹部３０が形成され、この凹部３０に光ディスク３１が収納保持されるようになっている。
【００２６】
図４はケーシング１０の下シェル１２の円形の凹部３０内に光ディスク３１を収納保持した状態を示している。すなわちここではケーシング１０の上シェル１１を除去した状態でケーシング１０の内部を示したものである。下シェル１２の中心孔１３から右方に延びるアクセス用開口１４を覆うようにシャッタ１７が取付けられるとともに、このシャッタ１７の右端側であって下シェル１２の右側の側縁に沿って解除部材１８が取付けられるようになっている。図５はこのようなケーシング１０をシャッタ１７の解除部材１８を保持する部位の側から見た状態を示している。
【００２７】
次に上記ケーシング１０の下シェル１２のアクセス用開口１４を開閉自在に覆うシャッタ１７について図６〜図１０により説明する。シャッタ１７は例えば厚さが０．１５ｍｍのステンレス鋼板から構成され、その一側端であってケーシング１０の側端と対応する位置に側壁３５を直角に折曲げて形成している。そして側壁３５の右端側（シャッタ１７を閉じる方向の端部）の部分には爪３６が形成されている。また側壁３５には３つの保持片３７が連設されるとともに、これらの保持片３７の先端側は上方に屈曲した突片３８を備えている。これらの突片３８は上シェル１１の下面に形成された案内溝に係合されるようになっており、これによって側壁３５の長さ方向の摺動動作を円滑に案内するようにしている。
【００２８】
上記側壁３５の左端側（シャッタ１７を開く方向の端部）の部分には保持片３７よりも少し長い保持片４０が形成されている。保持片４０の先端側は上方に直角に折曲がって突片４１を形成している。ま保持片４０には側方に突出するように支持片４２が形成されている。支持片４２は上記ねじりコイルばね２０のアームの先端側を下から支えるためのものである。またこの支持片４２の根元側が切込み４５になっており、上記ねじりコイルばね２０のアームの屈曲部を導くようにしている。
【００２９】
さらに上記側壁３５の左端であって保持片４０の下側には保持片４３が形成される。保持片４３はその先端部に上方に折曲がった突片４４を備えている。突片４４は図３に示す案内溝２８に係合され、これによってシャッタ１７を開閉方向に摺動自在に案内する。
【００３０】
次に解除部材１８について図１１〜図１３により説明する。解除部材１８は例えばポリオキシメチレン等の合成樹脂の射出成形体から構成され、その一端側に貫通孔４８が形成される。この貫通孔４８が上記シャッタ１７の爪３６を受入れ、これによってシャッタ１７の側壁３５の内側であって下シェル１２の側縁上をシャッタ１７とともに移動するようになっている。ここで爪３６の幅よりも貫通孔４８の同方向の幅の方が大きくなっており、これによって解除部材１８は貫通孔４８の幅と爪３６の幅の差異に相当する長さだけシャッタ１７に対して相対的に移動できるようになっている。また解除部材１８にはその上面に突片４９、５０が形成され、これらの突片４９、５０がシャッタ１７の保持片３７間に位置するようになっている。
【００３１】
さらにこの解除部材１８は、その先端側の部分に傾斜面５１が形成されている。この傾斜面５１がねじりコイルばね２０によるシャッタのロック動作を解除する解除手段を構成している。なお傾斜面５１の終端側は突部５２になっている。
【００３２】
ケーシング１０の上下のシェル１１、１２間に配されるねじりコイルばね２０は図１４および図１５に示すように、その中間位置にコイル部５６を備えるとともに、このコイル部５６の上端からストレートに側方に第１のアーム５７が延出されている。第１のアーム５７はその先端側の部分が屈曲した屈曲部５８に構成され、この屈曲部５８が上記シャッタ１７の支持片４２の根元側の切込み４５の部分に当接し、これによってシャッタ１７を閉じる方向に摺動付勢する。また屈曲部５８は解除部材１８の傾斜面５１によって押され、これによってロック解除の動作が行なわれるようになっている。
【００３３】
ねじりコイルばね２０のコイル部５６の下端側の部分は屈曲されて上方に曲げられ、しかも上方に曲げられた状態でアーム５７と同じ高さから反対方向に第２のアーム５９が延出されている。第２のアーム５９はその先端側がシェル側と当接する屈曲部６０になっている。そしてこのようなねじりコイルばね２０が図１４に示すように、下シェル１２の上面に形成された凹部６１内に保持されるようになっている。
【００３４】
上記下シェル１２の上面であって凹部６１の近傍には、図１６〜図１８に示すようにこの下シェル１２の側縁に沿って摺動溝６４が形成されている。この摺動溝６４は上記ねじりコイルばね２０の第１のアーム５７の屈曲部５８が摺動する溝である。そして摺動溝６４の終端、すなわち図１７および図１８において上端側にはこの摺動溝６４から直角方向側方に延びるように切込まれたロック溝６５が形成されている。ロック溝６５にねじりコイルばね２０の屈曲部５８が落込むと、これによってこのねじりコイルばね２０の屈曲部５８がロックされ、しかもねじりコイルばね２０の屈曲部５８を介してシャッタ１７が閉じた状態でロックされることになる。
【００３５】
次にこのようなディスクカートリッジの動作について説明する。不使用時には図４、図１６、図１７に示すように、ケーシング１０の下シェル１２のアクセス用開口１４と中心孔１３とがシャッタ１７によって閉じられる。従ってケーシング１０内の光ディスク３１に対して書込み動作あるいは読出し動作を行なう場合には、中心孔１３とアクセス用開口１４とを閉じているシャッタ１７を開放する必要がある。
【００３６】
不使用時であって中心孔１３とアクセス用開口１４とをシャッタ１７が完全に閉じている状態が図１９Ａに示される。ここで図１９Ｂに示すように、解除部材１８に対して何等力を加えることなく、シャッタ１７のみを開く方向、すなわち図１７および図１９Ｂにおいて下方へシャッタ１７を押しても、このシャッタ１７はねじりコイルばね２０の屈曲部５８によってロックされているために、開放することができない。すなわちねじりコイルばね２０のアーム５７の屈曲部５８が下シェル１２の摺動溝６４の終端のロック溝６５の壁部に当接しているために、この屈曲部５８を介してシャッタ１７はロックされ、開放される下方の方向に移動することができない。
【００３７】
そこで図１９Ｃおよび図１８に示すように、解除部材１８をシャッタ１７に対して下方へ相対的に移動させる。上述の如く解除部材１８の貫通孔４８の幅はシャッタ１７の爪３６の同方向の幅よりも大きくなっており、従ってその差に相当するストロークだけ解除部材１８がシャッタ１７に対して図１８に示すように下方へ移動できる。
【００３８】
シャッタ１７の側壁３５の内側に沿って解除部材１８を図１７に示す状態から図１８に示す状態に所定のストローク移動させると、この解除部材１８の先端側の傾斜面５１がねじりコイルばね２０の第１のアーム５７の屈曲部５８を押圧し、これによってこの屈曲部５８を図１８に示すように右方へ移動させる。従って屈曲部５８は下シェル１２のロック溝６５から離脱するようになる。これによってロック解除の動作が達成される。
【００３９】
従ってこの後に図２０Ａ、Ｂ、Ｃに示すように、シャッタ１７を開放する方向、すなわち図２０において下方へ移動することによって、アクセス用開口１４が次第に開放される。図２０Ｃはシャッタ１７が完全に開放位置へ移動したときの状態を示しており、この位置においてはアクセス用開口１４は全開状態になる。なおシャッタ１７の開放動作に連動して、このシャッタ１７を閉じる方向に付勢しているねじりコイルばね２０の屈曲部５８は下シェル１２の摺動溝６４に沿って移動する。
【００４０】
このようにシャッタ１７がアクセス用開口１４および中心孔１３を開放した状態において、中心孔１３を通してケーシング１０内にターンテーブルが侵入し、光ディスク３１をケーシング１０内で回転駆動する。さらにアクセス用開口１４を通して光学ヘッドが光ディスク３１に対してアクセスするとともに、この光学ヘッドが光ディスク３１の半径方向に移動することによって、この光ディスク３１に対する信号の書込みあるいは読出しの動作が行なわれる。
【００４１】
次に光ディスク３１に対する書込みあるいは読出しの動作を終了したならば、ケーシング１０の下シェル１２のアクセス用開口１４および中心孔１３を閉じる。この動作は上記解除部材１８に加えられる外力を取除くことによって行なわれる。シャッタ１７の側壁３５の内側に保持されている解除部材１８に加えられる力を取除くと、シャッタ１７はねじりコイルばね２０の弾性復元力によってその保持片４０の切込み４５の部分が押され、これによってこのねじりコイルばね２０によって直接シャッタ１７が閉じる方向に付勢される。
【００４２】
従って今度は逆に図２０Ｃ、Ｂ、Ａの順にシャッタ１７が上方に移動する。そしてシャッタ１７の閉じる方向への移動に伴って、ねじりコイルばね２０のアーム５７の先端側の屈曲部５８が下シェル１２の摺動溝６４の終端から図１７に示すロック溝６５内に落込む。ロック溝６５は摺動溝６４と直角に側方あるいは横方向に切込みを形成して構成されているために、この横方向の壁部によって屈曲部５８が摺動するのが阻止されるために、この状態でシャッタ１７はロックされることになる。すなわちシャッタ１７は閉じた状態において、ねじりコイルばね２０のアーム５７の屈曲部５８によってロックされる。ロックされた状態は図１９Ａに示されている。
【００４３】
このように本実施の形態においては、シャッタ１７はねじりコイルばね２０の第１のアーム５７の屈曲部５８がシャッタ１７の側壁３５の支持片４２の根元側の切込み４５によって下シェル１２の摺動溝６４と直交するロック溝６５に引掛かり、これによってシャッタ１７が図１７において下方に移動することが不可能になり、ロック状態になる。
【００４４】
ロック解除動作は、解除部材１８を下方に図１８に示すように移動させると、この解除部材１８の傾斜面５１によってねじりコイルばね２０の第１のアーム５７の屈曲部５８が右方に押され、これによって下シェル１２のロック溝６５から離脱し、摺動溝６４側に移動する。従ってねじりコイルばね２０の屈曲部５８は摺動溝６４内を摺動できる状態になり、このためにシャッタ１７、解除部材１８、およびねじりコイルばね２０の屈曲部５８が一緒になって下方に移動する（図２０参照）。このようにしてシャッタ１７は開放されることになる。
【００４５】
これに対してシャッタ１７を閉じる場合には解除部材１８に加えた力を除去することによって、シャッタ１７がねじりコイルばね２０の弾性復元力によって解除部材１８およびシャッタ１７を図２０Ｃ、Ｂ、Ａ、図１９Ｃの順に上方に押していくことになる。そしてねじりコイルばね２０の第１のアーム５７の屈曲部５８が下シェル１２の摺動溝６４の終端（図１７において上端）まで移動すると、ねじりコイルばね２０それ自身の弾性復元力によってこのねじりコイルばね２０の屈曲部５８がロック溝６５に落込むようになり、これによってシャッタ１７がロックされた状態になる。この状態が図１９Ａの状態である。
【００４６】
このような構造によると、シャッタ１７を閉じる方向に付勢するとともに閉じた状態でロックするねじりコイルばね２０の屈曲部５８が、このねじりコイルばね２０のコイル部５６の上端から側方にストレートに引出された第１のアーム５７の先端部に形成されている。このようにコイル部５６の上端からストレートに引出されたアーム５７は、このねじりコイルばね２０が変形すると上方であって屈曲部５８の屈曲方向とは逆方向に変形する。従って第１のアーム５７の先端側の部分がシャッタ１７の保持片４０の下側にもぐり込むような力を発生しない。
【００４７】
しかもシャッタ１７のねじりコイルばね２０の第１のアーム５７の屈曲部５８がとくに支持片４２の支持によって、シャッタ１７の保持片４０の下側にもぐることがなく、シャッタ１７の開放時にその開放力が非常に過大になったり、あるいはシャッタ１７のねじりコイルばね２０のアーム５７がシャッタ１７とケーシング１０の下シェル１２とに挟まれてシャッタ１７がロックすることが回避される。従って円滑な開閉動作が可能なシャッタ１７の開閉機構が提供できる。
【００４８】
またシャッタ１７を閉じた状態でロックするロック機構がねじりコイルばね２０のアーム５７の先端側の屈曲部５８から構成されており、このために付勢手段とロック部材とが兼用されることになる。従って下シェル１２の上面にロック溝６５を設けるだけでロック機構が達成されるようになり、部品点数が少なくてしかも構造の簡潔なシャッタ１７のロック機構が達成されることになる。
【００４９】
以上本願発明を図示の実施の形態によって説明したが、本願発明は上記実施の形態によって限定されることなく、本願発明の技術的思想の範囲内で各種の変更が可能である。例えば上記実施の形態におけるシャッタ１７や解除部材１８の具体的構造等については、各種の設計変更が可能である。
【産業上の利用可能性】
【００５０】
本願発明は光ディスクを用いたディクス式記録再生装置の記録媒体であって、とくにカートリッジタイプの記録媒体として広く利用可能である。
【図面の簡単な説明】
【００５１】
【図１】ディスクカートリッジの全体の構成を示す分解斜視図である。
【図２】同ディスクカートリッジの平面図である。
【図３】同ディスクカートリッジの底面図である。
【図４】上シェルを取除いた状態のディスクカートリッジの内部構造を示す組立て平面図である。
【図５】同ディスクカートリッジのシャッタの側壁側の側面図である。
【図６】シャッタの平面図である。
【図７】同シャッタの正面図である。
【図８】同シャッタの側面図である。
【図９】同シャッタの斜視図である。
【図１０】同シャッタの要部拡大斜視図である。
【図１１】解除部材の平面図である。
【図１２】同解除部材の正面図である。
【図１３】同解除部材の要部斜視図である。
【図１４】ねじりコイルばねを組込んだ状態のディスクカートリッジの要部拡大断面図である。
【図１５】ねじりコイルばねとシャッタとの結合部の構造を示す要部拡大斜視図である。
【図１６】シャッタと解除部材との組立て状態を示す要部斜視図である。
【図１７】シャッタのロック機構を示す拡大平面図である。
【図１８】同ロック解除動作を示す要部拡大平面図である。
【図１９】シャッタが閉じた状態（Ａ）、シャッタのみを移動させた状態（Ｂ）、およびロック解除状態（Ｃ）を示す要部平面図である。
【図２０】シャッタの開放動作を示す要部平面図である。
【符号の説明】
【００５２】
１０‥‥ケーシング、１１‥‥上シェル、１２‥‥下シェル、１３‥‥中心孔、１４‥‥アクセス用開口、１７‥‥シャッタ、１８‥‥解除部材、２０‥‥ねじりコイルばね、２３‥‥ラベル貼付け用凹部、２４‥‥結合用ビス穴、２５‥‥結合用ボス、２７‥‥凹部（シャッタ摺動用）、２８‥‥案内溝、３０‥‥円形の凹部、３１‥‥光ディスク、３５‥‥側壁、３６‥‥爪、３７‥‥保持片、３８‥‥突片、４０‥‥保持片、４１‥‥突片、４２‥‥支持片、４３‥‥保持片（下側）、４４‥‥突片、４５‥‥切込み、４８‥‥貫通孔、４９、５０‥‥突部、５１‥‥傾斜面、５２‥‥突部、５６‥‥コイル部、５７‥‥第１のアーム、５８‥‥屈曲部（シャッタ側）、５９‥‥第２のアーム、６０‥‥屈曲部（シェル側）、６１‥‥凹部、６４‥‥摺動溝、６５‥‥ロック溝
【図１】
2005302108.tif 000003
【図２】
2005302108.tif 000004
【図３】
2005302108.tif 000005
【図４】
2005302108.tif 000006
【図５】
2005302108.tif 000007
【図６】
2005302108.tif 000008
【図７】
2005302108.tif 000009
【図８】
2005302108.tif 000010
【図９】
2005302108.tif 000011
【図１０】
2005302108.tif 000012
【図１１】
2005302108.tif 000013
【図１２】
2005302108.tif 000014
【図１３】
2005302108.tif 000015
【図１４】
2005302108.tif 000016
【図１５】
2005302108.tif 000017
【図１６】
2005302108.tif 000018
【図１７】
2005302108.tif 000019
【図１８】
2005302108.tif 000020
【図１９】
2005302108.tif 000021
【図２０】
2005302108.tif 000022